(57)【要約】【課題】舞踊などの小道具として用いる鳴子に、その大きさを変えることなく、発光機能を付与し、音響効果の他に視覚的な効果も発現させること。【解決手段】基板２と、一方の端部に設けられた軸７を介して基板２に取り付けられた少なくとも１本の棒状の部材３を含み、棒状の部材３の他方の端部が、基板２を叩打することにより、音を生じる鳴子１に、圧電材料からなる圧電発電素子４を取り付け、棒状の部材３が基板２を叩打する時に、圧電発電素子４に生じる起電力により、発光素子５を点灯する。この鳴子１では、電池などの電源を必ずしも必要としないので、小型軽量で発光機能を発現できる。また、圧電発電素子４は基板２の側に取り付けることも可能で、電池などの電源を単独使用、または併用することも可能である。【選択図】  図１
2004264632.tif 000002
【特許請求の範囲】
【請求項１】
基板と、一方の端部に設けられた軸を介して前記基板に取り付けられた少なくとも１本の棒状の部材を含み、前記棒状の部材の他方の端部が基板を叩打することにより、音を発生する鳴子において、前記基板または前記棒状の部材の少なくともいずれかに発光素子が取り付けられ、前記基板または前記棒状の部材の少なくともいずれかに取り付けられた、電池または圧電発電素子の少なくともいずれかを含む電源により、前記発光素子を点灯することを特徴とする鳴子。
【請求項２】
前記棒状の部材が前記基板を叩打する際に、前記圧電発電素子に発生する電力により、前記発光素子を点灯させることを特徴とする、請求項１に記載の鳴子。
【発明の詳細な説明】
【０００１】
【発明が属する技術分野】
本発明は、祭礼や催事におけるアトラクションの舞踊などの、小道具として用いられる鳴子に関わり、さらに詳しくは、音響効果と視覚効果を併せ持つ鳴子に関するものである。
【０００２】
【従来の技術】
鳴子は、板状の部材と棒状の部材を組み合わせ、板状の部材を棒状の部材で叩くように構成することで音を発生させ、元来田畑において害鳥などを追い払うために用いられてきたものである。このような目的で用いる鳴子は、短く細い竹筒を板状の部材に添えて吊り下げ、板状の部材に取り付けた縄を引くことで、板状の部材を揺動させ、竹筒で板状の部材を叩き、音を生じさせるように構成されている。
【０００３】
一方で、鳴子は舞踊などで、踊り手の動作に伴って音を発生させ、舞踊に音響効果を付与する小道具としても使用されている。この場合は、鳴子を把持できるように、柄を設けるとともに、板状の部材を小型化し、棒状の部材の一端を回動可能な軸を介して板状の部材に取り付け、鳴子を動かした際に、棒状の部材の他端が揺動して板状の部材を叩き、叩打音を発生させる構造となっている。
【０００４】
そして近年、小道具としての鳴子においては、棒状の部材の可動側の端部に発光ダイオードなどの発光素子を取り付け、踊り手の手の動きによって、発光素子が点灯する機能を付与して、音響効果の他に、視覚的な効果をも発現する機能を具備したものが使用されている。
【０００５】
このような鳴子では、リチウム電池などの小型電池を電源として用いている。しかし、電池を取り付けた場合、電池の大きさの分だけ鳴子全体が大型するばかりでなく、重量も増加せざるを得ないという問題があった。
【０００６】
一方で、発光素子などの電源として、圧電材料を用いた素子に関する技術が開示されている。その一例として、次に示す特許文献１がある。
【０００７】
【特許文献１】
特開２００１−３３９９６３
【０００８】
前記特許文献１には、圧電セラミックス板と弾性板を組み合わせた、バイモルフ型圧電発電装置と発光ダイオードを接続した発光装置が開示されている。しかし、この技術は起電力を大きくすることが主たる目的であり、舞踊などの小道具として用いるには、必ずしも小型軽量化に十分対応していないものであった。
【０００９】
また、前記の鳴子に対して期待される発光強度は、照明が目的ではないので、視認できる程度で十分であり、特許文献１に開示されている圧電発光装置よりも、小型軽量のものが望ましく、電池などの電源と併用する場合は、さらに小型軽量のものが望ましい。
【００１０】
【発明が解決しようとする課題】
従って本発明の技術的な課題は、小型軽量で、片手による把持が可能で、舞踊を演じる際に、自由に操作でき、しかも、予め取り付けた発光素子が、手の動きに応じて点灯する鳴子を提供することにある。
【００１１】
【課題を解決するための手段】
本発明は、圧電発電素子を用いることで、発光素子に電力を供給することを検討した結果、なされたものである。
【００１２】
即ち、本発明は、基板と、一方の端部に設けられた軸を介して前記基板に取り付けられた少なくとも１本の棒状の部材を含み、前記棒状の部材の他方の端部が基板を叩打することにより、音を発生する鳴子において、前記基板または前記棒状の部材の少なくともいずれかに発光素子が取り付けられ、前記基板または前記棒状の部材の少なくともいずれかに取り付けられた、電池または圧電発電素子の少なくともいずれかを含む電源により、前記発光素子を点灯することを特徴とする鳴子である。
【００１３】
また、本発明は、前記棒状の部材が前記基板を叩打する際に、前記圧電発電素子に発生する電力により、前記発光素子を点灯させることを特徴とする、前記の鳴子である。
【００１４】
本発明の鳴子は、前記のように発光素子を点灯するための電力を、棒状の部材の一部を構成する圧電発電素子から供給するため、電池などの電源を取り付けることが、必ずしも必要ではなく、小型軽量となり、扱いが容易である。また、電池の交換や充電という煩わしい作業や、特別なメンテナンスを不要とすることも可能なので、何時、どこでも使用できるという特長がある。
【００１５】
さらに、圧電発電素子の特徴から、棒状の部材が板状の部材を叩くときの電力を利用するので、発光素子の点灯を制御するための回路を要しないことも、小型軽量化には有利である。しかしながら、特別に発光強度を大きくしたい場合は、電池などの副次的な電源を併用してもよいことは、勿論である。
【００１６】
そして、本発明に用いられる圧電発電素子としては、チタンジルコン酸亜鉛系の材料を代表とするセラミックス材料や、フッ化ビニリデンと三フッ化エチレンの共重合体を代表とする高分子材料などがあるが、起電力の大きさを考慮すると、セラミックス材料が望ましい。発光素子としては、小型軽量という観点から、発光ダイオードが望ましい。
【００１７】
また、圧電発電素子の構造としては、モノモルフ型、ユニモルフ型、バイモルフ型など、様々な構造が使用可能である。これらの中で、バイモルフ型は、小さな力で比較的高電圧が得られる。
【００１８】
【発明の実施の形態】
次に、具体的な図を参照しながら、本発明の実施の形態について説明する。
【００１９】
図１は、本発明の実施の形態に係る鳴子の一例を示す斜視図である。また、図２は、図１における圧電発電素子と発光素子の概略を示す斜視図である。図１、図２において、１は鳴子、２は基板、３は棒状の部材、４は圧電発電素子、５は発光素子、６は突起、７は棒状の部材３を基板２に取り付けるための軸、８は手で把持するための柄、９はリード線である。突起６を設ける理由は、棒状の部材３が、基板２を叩打する際に、圧電発電素子４に大きな歪みを与え、より大きな起電力を得ることである
【００２０】
この例では、基板２と棒状の部材３を木材で構成したが、ポリカーボーネートなどの比較的硬質の高分子材料を用いてもよく、使用者が所望する音質によって使い分けられる。また、圧電発電素子は、材料としてチタンジルコン酸亜鉛系のセラミックスを用い、バイモルフ型の構造を具備し、発光素子５は発光ダイオードである。しかし、これらに限定されるものでないことは勿論である。
【００２１】
また、特に例を図示しないが、圧電発電素子４を埋め込む形で基板２側に設けてもよいし、基板２と棒状の部材３の両側に設け、発光素子の発光強度を大きくすることも可能である。さらに、リチウム電池のような小型の電源の単独使用または、圧電発電素子との併用も可能である。
【００２２】
【発明の効果】
以上に説明したように、本発明によれば、小型軽量で発光機能を備えた鳴子を提供することができる。これによって、舞踊などの小道具としての鳴子を用いることができる機会が増加することが期待できる。
【図面の簡単な説明】
【図１】本発明の実施の形態に係る鳴子の一例を示す斜視図。
【図２】圧電発電素子と発光素子の概略を示す斜視図。
【符号の説明】
１  鳴子
２  基板
３  棒状の部材
４  圧電発電素子
５  発光素子
６  突起
７  軸
８  柄
９  リード線
【図１】
2004264632.tif 000003
【図２】
2004264632.tif 000004